(57)【要約】【課題】接続遅延の発生を防止しつつ、加入者情報のダウンロードに伴う共通線信号網のトラヒックの増大、加入者情報蓄積装置の記憶容量増大を低減する。【解決手段】発信履歴蓄積装置３０−ｉ（ｉ＝１，２，…）は、各々、ローカル交換機２０−ｉ配下で発信した移動体端末１の発信履歴情報を保持する。ローカル交換機２０−ｉは、位置登録要求があった移動体端末１の発信履歴がそれぞれの発信履歴蓄積装置３０−ｉに登録されている場合には、加入者情報サーバ４から加入者情報をダウンロードし、加入者情報蓄積装置５−ｉに保持する。一方、移動体端末１の発信履歴がそれぞれの発信履歴蓄積装置３０−ｉに登録されていない場合には、加入者情報サーバ４から加入者情報をダウンロードしない。【選択図】  図１
2004297335.tif 000002
【特許請求の範囲】
【請求項１】
移動体端末からの位置登録要求に基づいて加入者情報サーバに位置登録を要求するとともに、前記移動体端末に係る加入者情報をダウンロードして加入者情報蓄積手段に保持するローカル交換機において、
自エリア内での移動体端末の発信の履歴を保持する発信履歴蓄積手段と、
前記移動体端末からの位置登録要求があると、前記発信履歴蓄積手段に当該移動体端末の発信履歴が存在するか否かを判断する判断手段と、
前記判断手段により前記移動体端末の発信履歴が存在しないと判断された場合、前記加入者情報をダウンロードすることなく、前記加入者情報サーバに対して位置登録のみを要求する制御手段と
を具備することを特徴とするローカル交換機。
【請求項２】
前記判断手段は、所定の曜日にのみ発信履歴が存在するか否かを判断することを特徴とする請求項１記載のローカル交換機。
【請求項３】
前記判断手段は、所定の時間帯にのみ発信履歴が存在するか否かを判断することを特徴とする請求項１または２記載のローカル交換機。
【請求項４】
ローカル交換機からの位置登録要求および加入者情報要求が送信されてくると、前記移動体端末が位置登録を行なった前のローカル交換機に対して、加入者情報消去要求を送信する加入者情報サーバにおいて、
前のローカル交換機から位置登録要求のみが送信されてきた場合には、前のローカル交換機に対して加入者情報消去要求を送信することなく、該当移動体端末の位置登録のみを行なう加入者情報制御手段を具備することを特徴とする加入者情報サーバ。
【請求項５】
移動体端末から位置登録要求があると、加入者情報サーバに位置登録を要求するとともに、前記移動体端末に係る加入者情報をダウンロードしてローカル交換機に保持する加入者情報管理方法において、
自エリア内での移動体端末の発信の履歴を前記ローカル交換機に保持しておき、前記移動体端末からの位置登録要求があると、当該移動体端末の発信履歴が存在するか否かを判断し、発信履歴が存在しないと判断された場合、前記加入者情報をダウンロードすることなく、前記加入者情報サーバに対して位置登録のみを要求することを特徴とする加入者情報管理方法。
【請求項６】
所定の曜日にのみ発信履歴が存在するか否かを判断することを特徴とする請求項５記載の加入者情報管理方法。
【請求項７】
所定の時間帯にのみ発信履歴が存在するか否かを判断することを特徴とする請求項５または６記載の加入者情報管理方法。
【請求項８】
前記ローカル交換機からの位置登録要求および加入者情報要求が送信されてくると、前記移動体端末が位置登録を行なった前のローカル交換機に対して、加入者情報消去要求を送信し、一方、前のローカル交換機から位置登録要求のみが送信されてきた場合には、前のローカル交換機に対して加入者情報消去要求を送信することなく、該当移動体端末の位置登録のみを行なうことを特徴とする請求項５記載の加入者情報管理方法。
【請求項９】
ローカル交換機毎に自エリア内での移動体端末の発信の履歴を保持するステップと、
前記移動体端末からの位置登録要求があると、当該移動体端末の発信履歴が存在するか否かを判断するステップと、
発信履歴が存在すると判断された場合、加入者情報サーバに位置登録を要求するとともに、前記移動体端末に係る加入者情報をダウンロードしてローカル交換機に保持するステップと、
発信履歴が存在しないと判断された場合、前記加入者情報をダウンロードすることなく、前記加入者情報サーバに対して位置登録のみを要求するステップと
をコンピュータに実行させることを特徴とする加入者情報管理プログラム。
【請求項１０】
ローカル交換機からの位置登録要求および加入者情報要求が送信されてきた場合には、移動体端末の位置登録を行なうとともに、前記移動体端末が位置登録を行なった前のローカル交換機に対して、加入者情報消去要求を送信するステップと、
前のローカル交換機から位置登録要求のみが送信されてきた場合には、前のローカル交換機に対して加入者情報消去要求を送信することなく、該当移動体端末の位置登録のみを行なうステップと
をコンピュータに実行させることを特徴とする加入者情報管理プログラム。
【請求項１１】
ローカル交換機毎に自エリア内での移動体端末の発信の履歴を保持するステップと、
前記移動体端末からの位置登録要求があると、当該移動体端末の発信履歴が存在するか否かを判断するステップと、
発信履歴が存在すると判断された場合、加入者情報サーバに位置登録を要求するとともに、前記移動体端末に係る加入者情報をダウンロードしてローカル交換機に保持するステップと、
発信履歴が存在しないと判断された場合、前記加入者情報をダウンロードすることなく、前記加入者情報サーバに対して位置登録のみを要求するステップと
をコンピュータに実行させる加入者情報管理プログラムを記録したことを特徴とする記録媒体。
【請求項１２】
ローカル交換機からの位置登録要求および加入者情報要求が送信されてきた場合には、移動体端末の位置登録を行なうとともに、前記移動体端末が位置登録を行なった前のローカル交換機に対して、加入者情報消去要求を送信するステップと、
前のローカル交換機から位置登録要求のみが送信されてきた場合には、前のローカル交換機に対して加入者情報消去要求を送信することなく、該当移動体端末の位置登録のみを行なうステップと
をコンピュータに実行させる加入者情報管理プログラムを記録したことを特徴とする記録媒体。
【発明の詳細な説明】
【０００１】
【発明の属する技術分野】
本発明は、ローカル交換機、加入者情報サーバ、加入者情報管理方法、加入者情報管理プログラムおよび記録媒体に関する。
【０００２】
【従来の技術】
従来、移動体通信網のうちＩＭＴ２０００網における移動体の位置登録は、移動する全ての移動体端末に対して、ローカル交換機が変更となる都度、「加入者情報サーバへの位置登録」、「次ローカル交換機への加入者情報ダウンロード」、「前ローカル交換機からの加入者情報消去」という処理を行なっていた（例えば、非特許文献１参照）。
【０００３】
ここで、図５は、従来技術による移動体通信システムの構成を示すブロック図であり、図６は、従来技術による位置登録動作を説明するためのシーケンス図である。従来技術では、図５および図６に示すように、移動体端末１がローカル交換機２−１に対して位置登録要求を行なうと（Ｓ１）、ローカル交換機２−１では、共通線信号網３を介して加入者情報サーバ４に対して、位置登録要求と加入者情報要求とを行なう（Ｓ２）。
【０００４】
加入者情報サーバ４では、ローカル交換機２−１からの位置登録要求と加入者情報要求とに従って、位置登録を行ない、位置登録結果と加入者情報とをローカル交換機２−１に送信する（Ｓ３）。ローカル交換機２−１では、位置登録結果を移動体端末１に送信する一方（Ｓ４）、加入者情報蓄積装置５−１に加入者情報を保持する（Ｓ５）。加入者情報は、移動体端末１の付加サービスに関する情報や発信時に必要とされる情報などが含まれる。
【０００５】
次に、移動体端末１が、図５および図６に示すように、他のローカル交換機２−２のエリアへ移動すると、移動体端末１、ローカル交換機２−２および加入者情報サーバ４との間で、上述した位置登録動作が行なわれる。すなわち、移動体端末１からの位置登録要求に従って、位置登録を行なうとともに、加入者情報サーバ４から加入者情報をダウンロードし、当該ローカル交換機２−２の加入者情報蓄積装置５−２に保持する。さらに、加入者情報サーバ４から前のローカル交換機２−１に対して加入者情報削除要求を行ない（Ｓ６）、前のローカル交換機２−１では、該加入者情報削除要求に従って、加入者情報蓄積装置５−１の該当加入者情報を削除した後、加入者情報サーバ４に対して消去結果を通知する（Ｓ７）。
【０００６】
【非特許文献１】
３ＧＰＰ  ＴＳ２３．０１２  Ｖ５．０．０  ＩＭＴ−２０００の信号方式に関する規定、３ＧＰＰ  Ｏｒｇａｎｉｚａｔｉｏｎａｌ  Ｐａｒｔｎｅｒｓ発行、２００２年３月
【０００７】
【発明が解決しようとする課題】
ところで、ダウンロードされた加入者情報は、移動体端末１からの発信時にのみ必要であり、単なるローカル交換機２−ｉ（ｉ＝１，２，…）間の移動では不要である。しかしながら、従来技術では、例えば、朝の通勤時など多数の移動体端末１がローカル交換機２−ｉ（ｉ＝１，２，…）間を次々に移動するような場合、全ての移動体端末１において、上述したように、「位置登録＋加入者情報ダウンロード」、「加入者情報消去」が繰り返し行なわれていた。このため、実際には必要としない「加入者情報ダウンロード」、「加入者情報消去」による、共通線信号網のトラヒックの増大、ローカル交換機２−ｉ（ｉ＝１，２，…）における加入者情報蓄積装置５−ｉ（ｉ＝１，２，…）の記憶容量の増大などが生じ、これらのデータ量を考慮して共通線信号網の設備を準備する必要があった。
【０００８】
この発明は上述した事情に鑑みてなされたもので、通常、当該ローカル交換機配下で発信しない移動体端末からの発信があった場合の接続遅延の発生を防止しつつ、加入者情報のダウンロードに伴う共通線信号網のトラヒックの増大、加入者情報蓄積装置の記憶容量増大を低減することができるローカル交換機、加入者情報サーバ、加入者情報管理方法、加入者情報管理プログラムおよび記録媒体を提供することを目的とする。
【０００９】
【課題を解決するための手段】
上述した問題点を解決するために、請求項１記載の発明では、移動体端末からの位置登録要求に基づいて加入者情報サーバに位置登録を要求するとともに、前記移動体端末に係る加入者情報をダウンロードして加入者情報蓄積手段に保持するローカル交換機において、自エリア内での移動体端末の発信の履歴を保持する発信履歴蓄積手段と、前記移動体端末からの位置登録要求があると、前記発信履歴蓄積手段に当該移動体端末の発信履歴が存在するか否かを判断する判断手段と、前記判断手段により前記移動体端末の発信履歴が存在しないと判断された場合、前記加入者情報をダウンロードすることなく、前記加入者情報サーバに対して位置登録のみを要求する制御手段とを具備することを特徴とする。
【００１０】
また、請求項２記載の発明では、請求項１記載のローカル交換機において、前記判断手段は、所定の曜日にのみ発信履歴が存在するか否かを判断することを特徴とする。
【００１１】
また、請求項３記載の発明では、請求項１または２記載のローカル交換機において、前記判断手段は、所定の時間帯にのみ発信履歴が存在するか否かを判断することを特徴とする。
【００１２】
また、上述した問題点を解決するために、請求項４記載の発明では、ローカル交換機からの位置登録要求および加入者情報要求が送信されてくると、前記移動体端末が位置登録を行なった前のローカル交換機に対して、加入者情報消去要求を送信する加入者情報サーバにおいて、前のローカル交換機から位置登録要求のみが送信されてきた場合には、前のローカル交換機に対して加入者情報消去要求を送信することなく、該当移動体端末の位置登録のみを行なう加入者情報制御手段を具備することを特徴とする。
【００１３】
また、上述した問題点を解決するために、請求項５記載の発明では、移動体端末から位置登録要求があると、加入者情報サーバに位置登録を要求するとともに、前記移動体端末に係る加入者情報をダウンロードしてローカル交換機に保持する加入者情報管理方法において、自エリア内での移動体端末の発信の履歴を前記ローカル交換機に保持しておき、前記移動体端末からの位置登録要求があると、当該移動体端末の発信履歴が存在するか否かを判断し、発信履歴が存在しないと判断された場合、前記加入者情報をダウンロードすることなく、前記加入者情報サーバに対して位置登録のみを要求することを特徴とする。
【００１４】
また、請求項６記載の発明では、請求項５記載の加入者情報管理方法において、所定の曜日にのみ発信履歴が存在するか否かを判断することを特徴とする。
【００１５】
また、請求項７記載の発明では、請求項５または６記載の加入者情報管理方法において、所定の時間帯にのみ発信履歴が存在するか否かを判断することを特徴とする。
【００１６】
また、請求項８記載の発明では、請求項５記載の加入者情報管理方法において、前記ローカル交換機からの位置登録要求および加入者情報要求が送信されてくると、前記移動体端末が位置登録を行なった前のローカル交換機に対して、加入者情報消去要求を送信し、一方、前のローカル交換機から位置登録要求のみが送信されてきた場合には、前のローカル交換機に対して加入者情報消去要求を送信することなく、該当移動体端末の位置登録のみを行なうことを特徴とする。
【００１７】
また、上述した問題点を解決するために、請求項９記載の発明では、ローカル交換機毎に自エリア内での移動体端末の発信の履歴を保持するステップと、前記移動体端末からの位置登録要求があると、当該移動体端末の発信履歴が存在するか否かを判断するステップと、発信履歴が存在すると判断された場合、加入者情報サーバに位置登録を要求するとともに、前記移動体端末に係る加入者情報をダウンロードしてローカル交換機に保持するステップと、発信履歴が存在しないと判断された場合、前記加入者情報をダウンロードすることなく、前記加入者情報サーバに対して位置登録のみを要求するステップとをコンピュータに実行させることを特徴とする。
【００１８】
また、上述した問題点を解決するために、請求項１０記載の発明では、ローカル交換機からの位置登録要求および加入者情報要求が送信されてきた場合には、移動体端末の位置登録を行なうとともに、前記移動体端末が位置登録を行なった前のローカル交換機に対して、加入者情報消去要求を送信するステップと、前のローカル交換機から位置登録要求のみが送信されてきた場合には、前のローカル交換機に対して加入者情報消去要求を送信することなく、該当移動体端末の位置登録のみを行なうステップとをコンピュータに実行させることを特徴とする。
【００１９】
また、上述した問題点を解決するために、請求項１１記載の発明では、ローカル交換機毎に自エリア内での移動体端末の発信の履歴を保持するステップと、前記移動体端末からの位置登録要求があると、当該移動体端末の発信履歴が存在するか否かを判断するステップと、発信履歴が存在すると判断された場合、加入者情報サーバに位置登録を要求するとともに、前記移動体端末に係る加入者情報をダウンロードしてローカル交換機に保持するステップと、発信履歴が存在しないと判断された場合、前記加入者情報をダウンロードすることなく、前記加入者情報サーバに対して位置登録のみを要求するステップとをコンピュータに実行させる加入者情報管理プログラムを記録したことを特徴とする。
【００２０】
また、上述した問題点を解決するために、請求項１２記載の発明では、ローカル交換機からの位置登録要求および加入者情報要求が送信されてきた場合には、移動体端末の位置登録を行なうとともに、前記移動体端末が位置登録を行なった前のローカル交換機に対して、加入者情報消去要求を送信するステップと、前のローカル交換機から位置登録要求のみが送信されてきた場合には、前のローカル交換機に対して加入者情報消去要求を送信することなく、該当移動体端末の位置登録のみを行なうステップとをコンピュータに実行させる加入者情報管理プログラムを記録したことを特徴とする。
【００２１】
この発明では、自エリア内での移動体端末の発信の履歴を発信履歴蓄積手段に保持しておき、前記移動体端末からの位置登録要求があると、判断手段により、前記発信蓄積手段に当該移動体端末の発信履歴が存在するか否かを判断し、前記判断手段により前記移動体端末の発信履歴が存在しないと判断された場合、制御手段により、前記加入者情報をダウンロードすることなく、前記加入者情報サーバに対して位置登録のみを要求する。したがって、通常、当該ローカル交換機配下で発信しない移動体端末からの発信があった場合の接続遅延の発生を防止しつつ、加入者情報のダウンロードに伴う共通線信号網のトラヒックの増大、加入者情報蓄積装置の記憶容量増大を低減することが可能となる。
【００２２】
【発明の実施の形態】
以下、図面を用いて本発明の実施の形態を説明する。
【００２３】
Ａ．実施形態の構成
図１は、本発明の実施形態による移動体通信システムの構成を示すブロック図である。図１において、移動体端末１は、移動範囲がローカル交換機（基地局）をまたがった場合に共通線信号網の加入者情報サーバに対して位置登録を要求する。基地局１０−１〜１０−４は、移動体端末１からの位置登録要求を受け付け、ローカル交換機２０−１，２０−２に通知する。
【００２４】
ローカル交換機２０−１，２０−２は、基地局１０−１〜１０−４から通知された位置登録要求を分析し、位置登録要求した移動体端末１の発信履歴が発信履歴蓄積装置３０−１，３０−２に登録されている場合には、従来通り加入者情報サーバ４に対して「位置登録＋加入者情報ダウンロード」を要求する。一方、ローカル交換機２０−１，２０−２は、移動体端末１の発信履歴が発信履歴蓄積装置３０−１，３０−２に登録されていない場合には、加入者情報サーバ４に「位置登録」のみ要求する。
【００２５】
なお、発信履歴蓄積装置２０−１，２０−２の参照は、当該ローカル交換機配下で発信しないと判断した端末から発信があった場合に、発信時に「加入者情報サーバから当該ローカル交換機への加入者情報ダウンロード」という処理が必要となり接続遅延が生じるため、今回の制御を常時実施するのではなく、大部分の端末の動きがパターン化された朝の通勤時間帯など、限定された曜日／時間帯でのみ実施し、接続遅延が発生する確率を少なくする。
【００２６】
発信履歴蓄積装置２０−１，２０−２は、当該ローカル交換機２０−１，２０−２配下から発信があった移動体端末１の情報（電話番号など）を、一定期間もしくは一定端末数分保持し、ローカル交換機２０−１，２０−２からの発信履歴確認要求に対して発信履歴の有無を通知する。加入者情報蓄積装置５−１，５−２は、加入者情報サーバ４から受信した加入者情報を蓄積する。加入者情報サーバ４は、加入者情報を管理し、ローカル交換機２０−１，２０−２からの要求により加入者情報を返送する。
【００２７】
Ｂ．実施形態の動作
次に、本実施形態の動作について詳細に説明する。
【００２８】
Ｂ−１．発信履歴があるユーザの位置登録
まず、発信履歴があるユーザの位置登録について説明する。ここで、図２は、発信履歴があるユーザの位置登録動作を説明するためのシーケンス図である。移動体端末１がローカル交換機２０−１に位置登録要求を行なうと（Ｓａ１）、ローカル交換機２０−１は、当該移動体端末１の発信履歴が存在するか否かを確認するために、発信履歴蓄積装置３０−１に発信履歴確認依頼を行なう（Ｓａ２）。発信履歴蓄積装置３０−１では、上記発信履歴確認依頼に応じて当該移動体端末１の発信履歴が存在するか確認し、確認結果（この場合、履歴あり）をローカル交換機２０−１へ返す（Ｓａ３）。
【００２９】
ローカル交換機２０−１では、発信履歴確認依頼に対する発信履歴蓄積装置３０−１からの確認結果（履歴あり）を受信すると、当該エリアで発信する可能性が高いと判断し、通常通りに加入者情報のダウンロードを実施すべく、加入者情報サーバ４に対して位置登録要求と加入者情報要求とを行なう（Ｓａ４）。加入者情報サーバ４では、ローカル交換機２０−１からの位置登録要求と加入者情報要求とに従って、位置登録を行ない、該位置登録結果と加入者情報とをローカル交換機２０−１に送信する（Ｓａ５）。ローカル交換機２０−１では、位置登録結果を移動体端末１に送信する一方（Ｓａ６）、加入者情報装置５−１に加入者情報を保持する（Ｓａ７）。
【００３０】
次に、移動体端末１が、図１に示すように、他のローカル交換機２０−２のエリアに移動した場合には、移動体端末１、ローカル交換機２０−２および加入者情報サーバ４との間で、上述した位置登録動作が行なわれる。すなわち、移動体端末１からの位置登録要求に従って、位置登録を行なうとともに、加入者情報サーバ４から加入者情報をダウンロードし、当該ローカル交換機２０−２の加入者情報蓄積装置５−２に保持する。さらに、図２に示すように、加入者情報サーバ４から前のローカル交換機２０−１に対して加入者情報削除要求を行ない（Ｓａ８）、前のローカル交換機２０−１では、該加入者情報削除要求に従って、加入者情報蓄積装置５−１の該当加入者情報を削除した後、加入者情報サーバ４に対して消去結果を通知する（Ｓａ９）。
【００３１】
Ｂ−２．発信履歴がないユーザの位置登録
次に、発信履歴がないユーザの位置登録について説明する。ここで、図３は、発信履歴がないユーザの位置登録動作を説明するためのシーケンス図である。移動体端末１がローカル交換機２０−１に位置登録要求を行なうと（Ｓｂ１）、ローカル交換機２０−１は、当該移動体端末１の発信履歴が存在するか否かを確認するために、発信履歴蓄積装置３０−１に発信履歴確認依頼を行なう（Ｓｂ２）。発信履歴蓄積装置３０−１では、上記発信履歴確認依頼に応じて当該移動体端末１の発信履歴が存在するか確認し、確認結果（この場合、履歴なし）をローカル交換機２０−１へ返す（Ｓｂ３）。
【００３２】
ローカル交換機２０−１では、発信履歴確認依頼に対する発信履歴蓄積装置３０−１からの確認結果（履歴なし）を受信すると、当該エリアで発信する可能性が低いと判断し、加入者情報のダウンロードを省略し、加入者情報サーバ４に対して位置登録要求のみを行なう（Ｓｂ４）。加入者情報サーバ４では、ローカル交換機２０−１からの位置登録要求に従って、位置登録を行ない、該位置登録結果をローカル交換機２０−１に送信する（Ｓｂ５）。
【００３３】
ローカル交換機２０−１では、位置登録結果を移動体端末１に送信する（Ｓｂ６）。このとき、加入者情報装置５−１への加入者情報の保持は行なわれない。したがって、加入者情報装置５−ｉ（ｉ＝１，２，…）の記憶容量が加入者情報により圧迫されるのを防止することが可能となる。また、この場合、移動体端末１が図１に示すように他のローカル交換機２０−２のエリアに移動したとしても、図２に示すように、加入者情報サーバ４による前のローカル交換機２０−１に対する加入者情報削除要求、前のローカル交換機における加入者情報の削除、および加入者情報サーバ４に対する消去結果通知は行なわれない。この結果、共通線信号網３における信号量を削減することが可能となる。
【００３４】
Ｃ．従来技術との比較
ここで、図４は、従来技術と本実施形態との位置登録動作の違いによる信号量を説明するための概念図である。図４では、例えば、自宅から会社までの通勤における位置登録動作を示している。ユーザは、ローカル交換機のエリア（楕円で示す）を次々に移動する際、乗換駅で毎日発信しているとする。
【００３５】
従来技術では、全てのローカル交換機２−ｉにおいて、「位置登録＋加入者情報ダウンロード」、「加入者情報消去」が繰り返し行なわれていたため、共通線信号網３における信号量が多くなっていた。これに対して、本実施形態では、乗換駅のエリアでは発信履歴が存在するので、従来技術と同様に、「位置登録＋加入者情報ダウンロード」が行なわれ、信号量が多くなるものの、他のエリアでは発信履歴が存在しないので、「加入者情報ダウンロード」および「加入者情報消去」が行なわれず、共通線信号網３における信号量が少なくなるという効果がある。
【００３６】
また、上述したローカル交換機２０−１，２０−２の機能、あるいは加入者情報サーバ４の機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Ｒａｎｄｏｍ  Ａｃｃｅｓｓ  Ｍｅｍｏｒｙ）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００３７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理をローカル交換機２０−１，２０−２、あるいは加入者情報サーバ４に既に記録されているプログラムとの組み合わせで実現できるもの、いわゆる差分ファイル（差分プログラム）であってもよい。
【００３８】
以上、この発明の実施形態を、図面を参照して詳述してきたが、具体的な構成は、上記実施形態に限られるものではなく、この発明の要旨を逸脱しない範囲の設計等も含まれる。
【００３９】
【発明の効果】
以上説明したように、本発明によれば、自エリア内での移動体端末の発信の履歴を発信履歴蓄積手段に保持しておき、前記移動体端末からの位置登録要求があると、判断手段により、前記発信履歴蓄積手段に当該移動体端末の発信履歴が存在するか否かを判断し、前記判断手段により前記移動体端末の発信履歴が存在しないと判断された場合、制御手段により、前記加入者情報をダウンロードすることなく、前記加入者情報サーバに対して位置登録のみを要求するようにしたので、通常、当該ローカル交換機配下で発信しない移動体端末からの発信があった場合の接続遅延の発生を防止しつつ、加入者情報のダウンロードに伴う共通線信号網のトラヒックの増大、加入者情報蓄積装置の記憶容量増大を低減することができるという利点が得られる。
【図面の簡単な説明】
【図１】本発明の実施形態による移動体通信システムの構成を示すブロック図である。
【図２】発信履歴があるユーザの位置登録動作を説明するためのシーケンス図である。
【図３】発信履歴がないユーザの位置登録動作を説明するためのシーケンス図である。
【図４】従来技術と本実施形態との位置登録動作の違いによる信号量を説明するための概念図である。
【図５】従来技術による移動体通信システムの構成を示すブロック図である。
【図６】従来技術による位置登録動作を説明するためのシーケンス図である。
【符号の説明】
１  移動体端末
３  共通線信号網
４  加入者情報サーバ（加入者情報制御手段）
５−１，５−２  加入者情報蓄積装置（加入者情報蓄積手段）
１０−１，１０−２，１０−３，１０−４  基地局
２０−１，２０−２  ローカル交換機（判断手段、制御手段）
３０−１，３０−２  発信履歴蓄積装置（発信履歴蓄積手段）
【図１】
2004297335.tif 000003
【図２】
2004297335.tif 000004
【図３】
2004297335.tif 000005
【図４】
2004297335.tif 000006
【図５】
2004297335.tif 000007
【図６】
2004297335.tif 000008